(57)【要約】      （修正有）【課題】植物の繁茂を抑制しつつも、シートの表面上において植物を所定の割合で分布させることを可能とし、これにより、植物の蒸散による気化熱により地表の温度上昇を抑制し、この地表の温度上昇に伴う太陽光発電モジュールの温度上昇を抑制して、この太陽光発電モジュールの発電効率の低下を回避可能とする防草シート及び太陽光発電モジュール設置面敷設シートを提供する。【解決手段】所定の糸を製織して形成される防草シート１０であって、互いに交差する経糸１１と緯糸１２とをそれぞれ複数本ずつ引き揃えて織った組織である、ななこ織りにより製織される。【選択図】図１
0003190036.tif 000002
【実用新案登録請求の範囲】
【請求項１】
所定の糸を製織して形成される防草シートであって、
互いに交差する経糸と緯糸とをそれぞれ複数本ずつ引き揃えて織った組織である、ななこ織りにより製織された
ことを特徴とする防草シート。
【請求項２】
前記経糸及び前記緯糸よりも太さが太い糸である親糸を、複数本の前記経糸の一部及び／又は複数本の前記緯糸の一部として用いた
ことを特徴とする請求項１記載の防草シート。
【請求項３】
前記親糸の太さが、２０００〜２００００デニールである
ことを特徴とする請求項２記載の防草シート。
【請求項４】
一部が平織りで組織された
ことを特徴とする請求項１〜３のいずれかに記載の防草シート。
【請求項５】
平織りで組織された前記一部は、複数本の前記経糸の一部及び／又複数本の前記緯糸の一部として用いられた親糸を挟む範囲、及び／又は、前記親糸の一部と交差する範囲である
ことを特徴とする請求項４記載の防草シート。
【請求項６】
平織りで組織された前記一部が、前記防草シートを地面に固定するための固定具の打ち込まれる箇所である
ことを特徴とする請求項４又は５記載の防草シート。
【請求項７】
前記経糸及び前記緯糸の太さが、５００〜２０００デニールである
ことを特徴とする請求項１〜６のいずれかに記載の防草シート。
【請求項８】
前記経糸及び前記緯糸の糸密度が、１２〜１６本／ｃｍである
ことを特徴とする請求項１〜７のいずれかに記載の防草シート。
【請求項９】
前記防草シートの通気度が、２〜５ｃｃ／ｃｍ２・ｓｅｃである
ことを特徴とする請求項１〜８のいずれかに記載の防草シート。
【請求項１０】
前記防草シートの色が、緑色、茶色、又は、白色である
ことを特徴とする請求項１〜９のいずれかに記載の防草シート。
【請求項１１】
太陽光発電モジュールの設置される地表に敷設される太陽光発電モジュール設置面敷設シートであって、
前記太陽光発電モジュール設置面敷設シートが、前記請求項１〜請求項１０のいずれかに記載の防草シートである
ことを特徴とする太陽光発電モジュール設置面敷設シート。
【考案の詳細な説明】
【技術分野】
【０００１】
本考案は、所定の糸を製織して形成される防草シート、及び、所定の太陽光発電モジュールが設置された土地の表面に敷設される太陽光発電モジュール設置面敷設シートに関し、特に、所定の土地の表面に雑草が繁茂するのを抑制する防草シート及び太陽光発電モジュール設置面敷設シートに関する。
【背景技術】
【０００２】
所定の土地の表面に雑草などの植物が繁茂しないようにするために、その土地の表面上に防草シートを敷設することがある。
防草シートは、一般に、遮光性を有する材料で形成されており、日光が透過しにくくなっているので、この防草シートが敷設された土地の表面に到達する日光の光量が制限されて、この土地の表面における植物の生育が抑制される。
また、防草シートは、一般に、透水性の低い材料で形成されており、雨水が通過しにくくなっているので、この雨水が土地の表面に到達しにくくなり、これによっても植物の生育が抑制される。
これらの効果を奏することにより、防草シートが敷設された土地の表面においては、植物が生育しにくい環境となる。
【０００３】
ただし、日光を完全に遮断し、雨水の通過を完全に阻止して、植物がまったく生えていない環境をつくってしまうと却って不都合が生じることがある。
例えば、太陽光の入射に伴う光電効果によって発電する太陽光発電モジュールが設置された屋外の区域において、この区域内の地表に植物がまったく生えていない環境をつくると、この地表の温度が上昇し、この地表からの熱に曝されて太陽光発電モジュール自体の温度が上昇し、この太陽光発電モジュールの発電効率が低下することがあった。
また、道路の路肩や中央分離帯などにおいて、これらの地表に植物がまったく生えていない環境をつくると、この地表の温度が上昇し、人が歩く環境が劣悪になってしまうことがある。
さらに、山地や丘陵地などにおける傾斜面、特に、切土や盛土によってつくられる法面において、植物がまったく生えていない環境をつくると、植物の根による土壌の固定効果を利用することができず、法面のさらに上方から浸透した雨水によって法面の土壌が軟弱化して、土の流失や法面の崩落を引き起こすおそれがある。
このため、これら太陽光発電モジュールが設置された屋外の区域や、道路の路肩、中央分離帯、切土等による法面などにおいては、植物がまったく生えていない環境をつくるのではなく、植物の根部を健全な状態で残存させつつ、この植物の地表面上の部分の生育を制限したり、植物の繁茂を抑制したりすることで、上記のような不都合を生じさせないようにすることが望ましいとされている。
【０００４】
そこで、植物の根部を健全な状態で残存させつつも植物の地表面上の部分の生育の制限等を可能とする防草シートが、特許文献１に雑草抑制シートとして提案されている。
この雑草抑制シートは、所定の熱可塑性樹脂を材料として形成された一軸延伸糸を用いて平織りで組織された布状体であって、多数本の一軸延伸糸の各間に形成される間隙の占める割合である空隙率を６％以下としている。これにより、この雑草抑制シートの表面上に降り注いだ雨水がその間隙を所定の割合で通過するので、この雑草抑制シートが敷設された地表に雨水が到達して浸透し、植物の根部を健全な状態で残存させることができる。
また、この雑草抑制シートは、積算遮光率を７０〜９５％としており、日光の透過量が制限されることから、この雑草抑制シートが敷設された土地においては、植物の根部を健全な状態で残存させつつも、植物の地表面上の部分の生育を制限することができる。
【先行技術文献】
【特許文献】
【０００５】
【特許文献１】特開２００６−０２５６４２号公報
【考案の概要】
【考案が解決しようとする課題】
【０００６】
ところが、上述した雑草抑制シートを含む従来の防草シートにおいては、以下のような課題を解決することができなかった。
防草シートが敷設される土地の例として、上述したように、太陽光発電モジュールが設置された屋外の区域が挙げられる。
この区域では、太陽光発電モジュールのメンテナンス等のために係員が徒歩でその太陽光発電モジュールの設置箇所まで赴くことがある。
ところが、この区域に雑草等の植物が繁茂していると、この繁茂している植物が、係員の歩行の障害となってしまう。
ここで、その植物の繁茂を防止するために、その区域内の地表に防草シートを敷設することが考えられるが、このように防草シートを敷設して、この区域の地表に植物がまったく生えていない環境をつくってしまうと、この地表の温度が上昇し、この地表からの熱に曝されて太陽光発電モジュールの発電効率が低下することがあった。このような弊害は、温度上昇に伴い発電効率が低下するという太陽光発電モジュールの特性に起因するものである。
そこで、防草シートを敷設して植物の繁茂を抑制しつつも、防草シートの表面上に植物が所定の割合で分布している環境をつくることで、植物の蒸散による気化熱により地表の温度上昇を抑制することが可能な技術の提案が、新たな課題として生起してきた。
【０００７】
ここで、そのような環境をつくるために、特許文献１に記載の雑草抑制シートを用いることが考えられる。
ところが、雑草抑制シートは、植物の根部を健全な状態で残存させつつも、植物の地表面上の部分の生育を制限するものである。つまり、雑草抑制シートは、植物の地表面上の部分が当該雑草抑制シートの表面上に出てくる前に、その植物の生育を制限するものであるため、当該雑草抑制シートの表面上において植物が分布することがなかった。
【０００８】
また、仮に雑草抑制シートの空隙率を高くするなどして植物の地表面上の部分の生育を可能とした場合でも、植物が、雑草抑制シートの一軸延伸糸の各間に形成された間隙を通り抜けて、この雑草抑制シートの表面から上方の大気中へ出ることができなかった。
その理由として、雑草抑制シートが一軸延伸糸を用いて平織りで組織された布状体であることが挙げられる。平織りとは、経糸（たていと）と緯糸（よこいと）とを交互に浮き沈みさせて織る織物組織をいう。このため、平織りは、組織点の縦横の面が全て交錯点となっており、浮き糸がない。また、この平織りで組織された雑草抑制シートは、各糸間の目が詰まった状態となる。
そうすると、植物は、雑草抑制シートの各糸間の目を通り抜けることが困難となるので、雑草抑制シートの表面上において、その植物を所定の割合で分布させることができなかった。
【０００９】
本考案は、このような課題を解決するために提案されたもので、植物の繁茂を抑制しつつも、シートの表面上において植物を所定の割合で分布させることを可能とし、これにより、植物の蒸散による気化熱により地表の温度上昇を抑制し、この地表の温度上昇に伴う太陽光発電モジュールの温度上昇を抑制して、当該太陽光発電モジュールの発電効率の低下を回避可能とする防草シート及び太陽光発電モジュール設置面敷設シートの提供を目的とする。
【課題を解決するための手段】
【００１０】
上記目的を達成するため、本考案の防草シートは、所定の糸を製織して形成される防草シートであって、互いに交差する経糸と緯糸とをそれぞれ複数本ずつ引き揃えて織った組織である、ななこ織りにより製織された構成としてある。
【００１１】
また、本考案の太陽光発電モジュール設置面敷設シートは、太陽光発電モジュールの設置される地表に敷設される太陽光発電モジュール設置面敷設シートであって、太陽光発電モジュール設置面敷設シートが、前記の防草シートである構成としてある。
【考案の効果】
【００１２】
本考案の防草シート及び太陽光発電モジュール設置面敷設シートによれば、植物の繁茂を抑制しつつも、シートの表面上において植物を所定の割合で分布させることができる。
また、太陽光発電モジュール設置面敷設シートを太陽光発電モジュールの設置される地表に敷設することにより、この地表の温度の上昇を抑制し、太陽光発電モジュール自体の温度の上昇を抑制して、この太陽光発電モジュールの発電効率の低下を回避することができる。
【図面の簡単な説明】
【００１３】
【図１】本考案の一実施形態に係る防草シートの構成を示す平面図である。
【図２】本考案の一実施形態に係る防草シートの断面図（図１のＡ−Ａ断面図）である。
【図３】ななこ織りで組織された防草シートの組織図である。
【図４】太陽光発電モジュールが設置された地表に防草シートが敷設された状態を示す図（防草シートについては図１のＡ−Ａ断面図）である。
【図５】経糸及び緯糸の一部に親糸が使用された防草シートの構成を示す平面図である。
【図６】図５に示した防草シートにアンカーを打ち込む様子を示す断面図（防草シートについては図５のＢ−Ｂ断面図）である。
【図７】一部が平織りである防草シートの構成を示す平面図である。
【図８】親糸が使用されるとともに一部が平織りである防草シートの構成を示す平面図である。
【図９】親糸が使用されるとともに一部が平織りである防草シートの他の構成を示す平面図である。
【考案を実施するための形態】
【００１４】
以下、本考案に係る防草シート及び太陽光発電モジュール設置面敷設シートの好ましい実施形態について、図１〜図９を参照しながら説明する。
【００１５】
所定の合成繊維で形成された多数本の糸を製織して形成される防草シート１０は、所定の経糸１１と緯糸１２とをそれぞれ複数本ずつ引き揃えて織った組織であるななこ織り（斜子織り、魚子織り、七子織りなどとも表記する）で製織することにより、この防草シート１０が敷設された土地の表面において植物の過剰な繁茂を抑制しつつ、当該防草シート１０の表面上において植物を所定の割合で分布させることができるようになっている。
以下、防草シート１０の構成について詳述する。
【００１６】
防草シート１０は、図１、図２に示すように、互いに交差（例えば、直交）する経糸１１と緯糸１２とをそれぞれ複数本ずつ引き揃えて織った組織であるななこ織りにより製織されたシート状の部材である。これにより、植物の繁茂を抑制しつつも、この防草シート１０の表面上において所定の割合で植物が分布した環境をつくりだすことができる。
例えば、防草シートの組織が平織りである場合、平織りは、経糸と緯糸とを交互に浮き沈みさせて織る織物組織であるため、この平織りで組織された防草シートは、各糸間の目が詰まったものとなり、各糸が動きづらい状態となる。そうすると、この防草シートが敷設された地表から植物が発芽し、この植物が成長して防草シートの各糸間の目を通り抜けようとしても、通り抜けることが困難となり、この防草シートの表面上においては、植物を所定の割合で分布させることができなくなる。
これに対し、本実施形態の防草シート１０は、組織がななこ織りである。ななこ織りは、浮き糸が少なくとも２本あるために各糸が動きやすくなっており、この防草シート１０の各糸間の目が広がりやすい状態となっている。特に、図３に示す防草シート１０の組織図（織物の経糸と緯糸の交差する状態を描き表す図。経糸と緯糸の交差点をマスで示し、織物を表から見て、経糸が緯糸の上に浮く交差点のマスを黒マスで示し、緯糸が経糸の上に浮く交差点のマスを白マスで示す。）においては、この防草シート１０の各糸間の目のうち矩形に並ぶ四つの組織点（例えば、黒マス四つを一塊りとする組織点）と他の四つの組織点（例えば、白マス四つを一塊りとする組織点）との間に存在する目（図３において、白抜きの丸（○）で示した部分の目）が、組織点の縦横の面に向かう方向に広がりやすい状態となっている。そうすると、地表から発芽した植物が成長して防草シート１０の各糸間の目を通り抜けようとしたときに、その目を通り抜けることが容易となるので、図４に示すように、この防草シート１０の表面上において、植物を所定の割合で分布させることができる。
【００１７】
また、この防草シート１０を、太陽光発電モジュールが設置された区域内の地表に敷設した場合には、地表及び防草シート１０の表面上の温度の上昇が抑制されるので、太陽光発電モジュールの発電に適した環境をつくることができる。
一般に、太陽光発電モジュールは、この太陽光発電モジュール自体の温度が１０℃上昇すると発電出力が２〜５％減少すると言われている。このため、この太陽光発電モジュール自体の温度は、低い方がよい。
ここで、この太陽光発電モジュールが設置された区域内の地表に、特許文献１に記載の雑草抑制シートを敷設した場合、この雑草抑制シートの表面上には植物が分布しないので、この表面上の温度が上昇し、太陽光発電モジュールの温度が上昇して、発電出力が低下する。
これに対し、その太陽光発電モジュールが設置された区域内の地表に、防草シート１０を太陽光発電モジュール設置面敷設シートとして敷設した場合において、この太陽光発電モジュール設置面敷設シートの表面上に植物が所定の割合で分布したときには（図４参照）、この植物の蒸散による気化熱により、太陽光発電モジュール設置面敷設シートの表面上の温度が低下するので、太陽光発電モジュールの温度の上昇が抑制されて、この太陽光発電モジュールの発電出力を増加させることができる。
【００１８】
さらに、その太陽光発電モジュール設置面敷設シートの表面上に分布する植物は、この太陽光発電モジュール設置面敷設シートの各糸間の目を通り抜けることが可能な大きさの植物、すなわち茎が細く丈の低い雑草などの植物を想定しており、幹が太く丈の高い樹木を想定していない。
もし仮に、太陽光発電モジュールの近傍に丈の高い樹木が生育していると、太陽光発電モジュールの太陽光入射面がその樹木の陰となったときに、日光の入射が遮られてしまうので、太陽光発電に悪影響を及ぼしてしまう。
これに対し、本実施形態の太陽光発電モジュール設置面敷設シートは、丈の低い雑草などの植物の生育を促すものであるため、太陽光発電モジュールの太陽光入射面に対する日光の入射を遮ることがない。これにより、その太陽光入射面に入射する日光の光量を最大限確保することができ、発電出力を高出力で維持することができる。
【００１９】
防草シート１０の経糸１１と緯糸１２は、いずれも長尺状に形成された合成樹脂製の糸材であって、その形状は、例えば、糸状、紐状、リボン状、帯状、テープ状、モノフィラメントなどの線条等のいずれであってもよい。
また、経糸１１と緯糸１２のそれぞれの断面の形状は、矩形、円形、楕円形、長円形、その他異形体のいずれであってもよい。
これら経糸１１と緯糸１２の製造方法としては、例えば、熱可塑性樹脂フィルムを所定の幅の短冊状に切断（スリット）し、これを一軸延伸することによりフラットヤーンを形成し、これを経糸１１又は緯糸１２として用いる方法とすることができる。また、そのフラットヤーンに撚りをかけたものを経糸１１又は緯糸１２として用いることができる。
【００２０】
これら経糸１１と緯糸１２は、防草シート１０の屋外での使用を想定し、合成繊維を材料として形成することが望ましい。また、経糸１１と緯糸１２は、形成の過程で延伸することを考慮して、延伸効果の大きい熱可塑性樹脂、特に、結晶性樹脂を材料として形成することが望ましい。
これら経糸１１と緯糸１２の材料として用いることが可能な合成樹脂の具体例を挙げると、例えば、高密度ポリエチレン、低密度ポリエチレン、ポリプロピレン、などのポリオレフィン、エチレン・α−オレフィン共重合体、エチレン・酢酸ビニル共重合体等のオレフィン系重合体、ポリ乳酸、ポリエチレンテレフタレート、ポリブチレンテレフタレート等のポリエステル、ナイロン６、ナイロン６６等のポリアミド、アクリルニトリル、ビニロン等が挙げられる。中でも、ビニロンは、耐候性に優れていることから、屋外での使用が想定される防草シート１０の経糸１１及び緯糸１２の材料として好適である。
【００２１】
経糸１１と緯糸１２の色は、特に限定されるものではないが、例えば、防草シート１０が土壌の表面上に敷設されることを想定し、土壌の色に馴染む色、あるいは、環境を損なわないように落ち着いた色とすることが望ましく、例えば、茶色や緑色等が適している。
また、経糸１１と緯糸１２の色は、遮光性を高めるために、入射光の反射率が高い色、例えば、白色、黄色、銀色、白色に近い灰色などとすることができる。
このように反射率の高い色で着色された防草シート１０は、次のような効果を奏する。
例えば、この防草シート１０に入射した太陽光は、高い割合でこの防草シート１０の表面にて反射するようになり、この防草シート１０を透過する光が制限される。このため、この防草シート１０が敷設された地表における植物の繁茂を抑制できる。
また、太陽光発電モジュールが設置された区域内の地表に防草シート１０を敷設した場合には、この地表の温度上昇が抑制されて、発電に適した環境を維持することができる。すなわち、その太陽光発電モジュールが設置された地表に当該防草シート１０を敷設することにより、この防草シート１０の表面上の温度上昇が抑制されるので、太陽光発電モジュールの温度上昇が抑制されて、この太陽光発電モジュールの発電出力の減少を回避できる。
さらに、この防草シート１０の表面で反射した光が上空の雲などに反射して太陽光発電モジュールに入射する効果も期待されることから、太陽光の入射効率を高めることができ、発電電力量を上昇させることができる。
【００２２】
防草シート１０の経糸１１と緯糸１２のそれぞれの太さは、例えば、この防草シート１０に付与すべき強度に応じて決めることができる。
防草シート１０は、所定の土地の表面上に敷設されるため、この上を人が通ることが想定される。よって、防草シート１０は、人に踏みつけられても簡単には破れない程度の強度が必要となる。
一方、経糸１１と緯糸１２の太さを太くしすぎると、防草シート１０の柔軟性が低下する。
これらの条件を満たした経糸１１及び緯糸１２の太さとしては、例えば、５００〜２０００デニールが適しており、より好ましくは、１０００デニールが最適である。
【００２３】
防草シート１０における経糸１１と緯糸１２の糸密度は、この防草シート１０が敷設された土地の表面における植物の生えやすさを考慮して決めることができる。
例えば、糸密度を密にしすぎた場合、遮光度が高くなるとともに、透水度が低くなるので、植物が生えにくくなる。
一方、糸密度を粗にしすぎた場合、遮光度が低くなるとともに、透水度が高くなるので、植物が生えすぎて、抑制できなくなる。
そこで、適切な遮光度及び透水度を有することとなる経糸１１及び緯糸１２の糸密度は、これら経糸１１及び緯糸１２の双方について１２〜１６［本／ｃｍ］であることが望ましく、特に、１４［本／ｃｍ］が最適である。
【００２４】
また、防草シート１０は、この防草シート１０の表面上における植物の分布の程度を考慮して、その通気度を決めることができる。
通気度は、生地の組織の隙間から空気が通過する量であって、例えば、「ＪＩＳ  Ｌ  １０９６織物及び編物の生地試験方法」にもとづいて試験を実施した結果として得ることができる。
防草シート１０の通気度は、この防草シート１０における経糸１１及び緯糸１２の移動のしやすさ、すなわち、各糸間の目の広がりやすさを示す指標として用いることができる。
例えば、通気度が小さい場合、経糸１１及び緯糸１２が移動しにくいものとなっており、各糸間の目が広がりにくいものとなっていることから、この防草シート１０が敷設された地表にて生育した植物がその防草シート１０の目を通り抜けることが困難となる。このため、この防草シート１０の表面上における植物の分布の程度が小さくなる。
一方、通気度が大きい場合、経糸１１及び緯糸１２が移動しやすいものとなっており、各糸間の目が広がりやすいものとなっていることから、この防草シート１０が敷設された地表にて生育した植物がその防草シート１０の目を通り抜けやすくなる。このため、この防草シート１０の表面上における植物の分布の程度が大きくなる。
そこで、このように防草シート１０の表面上における植物の適切な分布を考慮して、この防草シート１０の通気度として、例えば、２〜５［ｃｃ／ｃｍ２・ｓｅｃ］とすることが望ましい。
【００２５】
また、防草シート１０には、複数本の経糸１１と複数本の緯糸１２が用いられるが、図５に示すように、複数本の経糸１１の一部又は複数本の緯糸１２の一部を、地の糸よりも太い糸である親糸（おやいと）１３を用いて構成することができる。
親糸１３は、地の糸（経糸１１又は緯糸１２のうち親糸１３以外の糸）よりも太いことから、それら地の糸よりも柔軟性が低く硬質となっている。このことから、このような親糸１３を複数本の経糸１１の一部又は複数本の緯糸１２の一部として用いることにより、防草シート１０の全体の平面性を保持しつつ、安定的に地面に敷設することができる。
【００２６】
この親糸１３を防草シート１０に複数本配置する場合、これら複数本の親糸１３は、等間隔で配置することができる。
また、複数本の経糸１１の一部又は複数本の緯糸１２の一部として複数本の親糸１３を用いた防草シート１０の組織を組織図で示したときに、それら複数本の親糸１３において各親糸１３が地の糸の上に浮く組織点が互い違いに配置された千鳥状となるように、それら複数本の親糸１３を配置するのが望ましい（図５参照）。
織り方としては、親糸１３が防草シート１０と一体化するような組織、あるいは、親糸１３が部分的にたるまないような組織とするのが望ましい。なお、ななこ織りは、これらの条件を満たしている。
【００２７】
親糸１３の太さは、地の糸よりも太くする必要があるが、太くしすぎると製織に負担がかかる。そこで、親糸１３の太さは、例えば、繊度では、地の糸の２倍以上とするのが望ましい。また、親糸１３の太さは、２０００〜２００００デニールが適しており、さらに好ましくは、１０６３８デニール（総合番手で０．５番（綿番手による表示））程度が最適である。
親糸１３は、単糸であってもよく、あるいは、複数本の糸を撚り合わせたものであってもよい。
【００２８】
また、親糸１３を複数本の経糸１１の一部又は複数本の緯糸１２の一部として用いることにより、地面に敷設された防草シート１０を、アンカー２０などの固定具を用いてしっかり固定することができる。
例えば、図６に示すように、Ｕ字状のアンカー２０を打ち込むことによって防草シート１０を地面に固定する場合、そのアンカー２０の二本の足部（ピン）２１、２２のうちの一方の足部２１が、防草シート１０の親糸１３の長手方向に対して右側方向の任意の位置（防草シート１０上の任意の位置）に打ち込まれ、他の足部２２が、防草シート１０の親糸１３の長手方向に対して左側方向の任意の位置（防草シート１０上の任意の位置）に打ち込まれるように、当該アンカー２０を防草シート１０の上方に位置させる。そして、このアンカー２０の各足部２１、２２を防草シート１０における上記の位置に突き刺して打ち込みながら地面に対しても打ち込んでいく。その後、アンカー２０の二本の足部２１、２２の上端同士をつなぐ繋接部２３が防草シート１０の親糸１３の近傍に達すると、アンカー２０の打ち込みを終了する。
このように、親糸１３を跨ぐ位置にアンカー２０を打ち込むことにより、このアンカー２０の二本の足部２１、２２が不動点となり、これら二本の足部２１、２２の間に親糸１３が位置することで、この親糸１３の移動が制限される。そして、親糸１３は、地の糸よりも太いために柔軟性が低くなっていることから、この防草シート１０の下方の地面において植物が生えてきても、この植物による押し上げにより当該防草シート１０が盛り上がるのを防ぐことができる。
【００２９】
防草シート１０における親糸１３の間隔は、当該防草シート１０全体の形状維持の安定化を図るために、できる限り短い方がよい。ただし、その間隔を短くしすぎると、親糸１３を多用することになるので、コストの増大を招く。
そこで、親糸１３の間隔は、１メートルあたり５本から１本が適しており、さらに好ましくは、２本が最適である。
なお、図５においては、経糸１１と緯糸１２の両方に親糸１３を用いているが、親糸１３は、経糸１１又は緯糸１２の一方のみに用いるようにすることができる。
【００３０】
また、防草シート１０は、組織をななこ織りとするが、図７に示すように、当該防草シート１０の一部の組織を平織りとすることができる。
この平織りで製織された箇所は、各糸間の目が詰まっており、経糸１１や緯糸１２が動きづらい状態となっている。
このため、この平織りで組織された箇所にアンカー２０を打ち込むことにより、地面に対して防草シート１０をより強固に固定することができる。
【００３１】
なお、平織りで組織された箇所は、防草シート１０の一部であり、この部分のみ糸の太さ等を変えることは困難であるため、当該箇所は、他のななこ織りで組織された箇所に使用されている経糸１１及び緯糸１２と同じ糸がそのまま使用される。
また、平織りで組織された箇所の面積は、防草シート１０の全体の面積やアンカー２０の大きさにもよるが、例えば、５ｃｍ２などとすることができる。
さらに、平織りで組織された箇所は、経糸１１や緯糸１２が動きづらい状態となっているので、植物が分布しない箇所として確保されるとともに、アンカーの打ち込み箇所としても確保される。
【００３２】
さらに、防草シート１０の経糸１１又は緯糸１２に親糸１３が使用されている場合には、図８に示すように、この親糸１３の長手方向に対して右側方向と左側方向の両方において、すなわち、親糸１３を挟む位置にある二つの範囲内において、この組織を平織りとすることができる。
それら平織りで組織された二つの範囲内では、各糸間の目が詰まっており、経糸１１や緯糸１２が動きづらい状態となっている。このため、それら平織りで組織された箇所のそれぞれにアンカー２０を打ち込むことにより、この防草シート１０を地面に対してより強固に固定することができる。
【００３３】
以上説明したように、本実施形態の防草シート１０及び太陽光発電モジュール設置面敷設シートによれば、組織がななこ織りであるため、この防草シート１０が敷設された土地の表面に生育している植物が当該防草シート１０における各糸間の目を通り抜けて、当該防草シート１０の表面に出ることができる。これにより、防草シート１０は、植物の繁茂を抑制しつつも、当該防草シート１０の表面上において植物を所定の割合で分布させることができる。
また、防草シート１０を太陽光発電モジュール設置面敷設シートとして使用し、この太陽光発電モジュール設置面敷設シートを太陽光発電モジュールの設置される地表に敷設したときは、この地表の温度の上昇が抑制され、太陽光発電モジュール自体の温度の上昇が抑制されるので、この太陽光発電モジュールの発電効率の低下を回避することができる。
【００３４】
以上、本考案の防草シート及び太陽光発電モジュール設置面敷設シートの好ましい実施形態について説明したが、本考案に係る防草シート及び太陽光発電モジュール設置面敷設シートは上述した実施形態にのみ限定されるものではなく、本考案の範囲で種々の変更実施が可能であることは言うまでもない。
例えば、本考案の防草シートは、植物の過剰な繁茂を抑制しつつもその植物が所定の割合で分布することが望ましい区域や領域、例えば、太陽光発電モジュールが設置された区域、道路の路肩、中央分離帯、山地等の傾斜面、切土等の法面など、様々な区域や領域に敷設することができる。そして、このように、これら区域等に本考案の防草シートを敷設することにより、この防草シートの表面上に分布した植物の蒸散により地表の温度上昇を抑えることができる。しかも、太陽光発電モジュールにおいては、この太陽光発電モジュール自体の温度の上昇を抑制して、この太陽光発電モジュールの発電出力を増加させることができ、道路の路肩や中央分離帯においては、これらの地表の温度が上昇して人が歩く環境が劣悪になるのを防止でき、山地等の傾斜面や切土等の法面などにおいては、これら傾斜面等における土の流失や崩落を抑制できる。
【００３５】
また、図１等に示す防草シート１０においては、二本の経糸１１と二本の緯糸１２とを引き揃えて織った組織である二本ななこを図示しているが、防草シート１０の組織は、二本ななこに限るものではなく、例えば、三本の経糸１１と三本の緯糸１２とを引き揃えて織った組織である三本ななこ、四本の経糸１１と四本の緯糸１２とを引き揃えて織った組織である四本ななこなどであってもよい。また、引き揃える経糸１１の本数と緯糸１２の本数は、同じであってもよく、あるいは、異なっていてもよい。
さらに、図５等に示す防草シート１０においては、親糸１３が当該防草シート１０の中ほどに配置されているが、親糸１３は、防草シート１０の端辺又はこの近傍に配置することもできる。
また、図６に示す防草シート１０においては、親糸１３を跨ぐような位置にアンカー２０が打ち込まれているが、親糸１３に対して直接アンカー２０を打ち込むこともできる。
【００３６】
また、図７、図８に示す防草シート１０においては、平織りで組織された箇所が当該防草シート１０の中ほどに配置されているが、平織りで組織される箇所は、防草シート１０の端辺又はこの近傍であってもよい。
さらに、図８に示す防草シート１０においては、親糸１３を挟む位置にある二つの範囲内の組織を平織りとしているが、図９に示すように、その親糸１３の一部と交差する範囲内の組織を平織りとすることができる。
また、図１等に示す防草シート１０においては、経糸１１と緯糸１２が直交して配置されているが、これら経糸１１と緯糸１２との交差は、直交に限るものではなく、経糸１１又は緯糸１２の一方が他方に対して斜めに交差したものであってもよい。
【産業上の利用可能性】
【００３７】
本考案は、所定の糸を製織して形成される防草シートに好適に利用することができる。
【符号の説明】
【００３８】
１０  防草シート
１１  経糸
１２  緯糸
１３  親糸
２０  アンカー（固定具）
【図１】
0003190036.tif 000003
【図２】
0003190036.tif 000004
【図３】
0003190036.tif 000005
【図４】
0003190036.tif 000006
【図５】
0003190036.tif 000007
【図６】
0003190036.tif 000008
【図７】
0003190036.tif 000009
【図８】
0003190036.tif 000010
【図９】
0003190036.tif 000011